(57)【要約】【課題】折り畳むことができ、かつ組み立てが容易な三角柱筐体を提供する。【解決手段】底面３０に三角柱の柱軸に平行な折線３１が設けられており、底面３０の内側に突っ張り片４０が設けられており、突っ張り片４０は、底面３０の折線３１より背面２０側の部分に接着されており、底面３０の折線３１より正面１０側の部分と同じ長さだけ、折線３１から突き出ている三角柱筐体である。折線３１に沿って、底面３０を筐体の内側に向かって折ることができ、筐体を容易に折り畳むことができるので、保管時や輸送時に嵩張ることが無い。使用時には折り畳まれた底面３０を平らに戻すだけでよく、容易に三角柱に組み立てることができる。突っ張り片４０の先端が前面１０により下方に押さえられ、底面３０を平面状に保つため、三角柱の形状を保つことができる。【選択図】図１
0003149431.tif 000002
【実用新案登録請求の範囲】
【請求項１】
正面と背面と底面とからなる中空の三角柱の筐体であって、
前記底面に、該底面が前記筐体の内側に向かって折れ曲がるように、三角柱の柱軸に平行な折線が設けられており、
前記底面の内側に突っ張り片が設けられており、
前記突っ張り片は、前記底面の折線より背面側の部分に接着されており、
前記突っ張り片は、前記底面の折線より正面側の部分と同じ長さだけ、前記折線から突き出ている
ことを特徴とする三角柱筐体。
【請求項２】
前記底面と前記正面と前記背面と前記突っ張り片とが１枚のシートが折られることにより形成され、
前記底面の内側に前記突っ張り片が接着されることにより形成されている
ことを特徴とする請求項１記載の三角柱筐体。
【請求項３】
前記筐体の側面視において、前記正面の辺の長さをL1、前記背面の辺の長さをL2、前記底面の折線から正面までの長さをL31、前記底面の折線から背面までの長さをL32としたときに、
各辺の長さが
L1 − L31 ＝ L2 - L32
および
L32 ＋ L31 ≦ L2
を満たす
ことを特徴とする請求項１記載の三角柱筐体。
【請求項４】
前記筐体の両側面もしくは片側面に蓋面が設けられている
ことを特徴とする請求項１記載の三角柱筐体。
【請求項５】
請求項１記載の三角柱筐体の前記正面、背面、底面の全て、もしくは一部に広告が記載されている
ことを特徴とする広告媒体。
【請求項６】
請求項１記載の三角柱筐体の前記正面にカレンダーが設けられている
ことを特徴とする卓上カレンダー。
【考案の詳細な説明】
【技術分野】
【０００１】
本考案は、三角柱筐体に関する。さらに詳しくは、折り畳むことができ、かつ組み立てが容易な三角柱筐体に関する。
【背景技術】
【０００２】
従来、紙などでできた三角柱の筐体は、卓上カレンダーや広告媒体として用いられている。三角柱筐体は、使用時には三角柱の形状を保つ必要があるが、輸送時にそのままの形状であると中空で軽量にもかかわらず嵩張ってしまうので、折り畳んだり分解したりして平面状になるように、その形状に工夫が施されているものがある。
【０００３】
その一例として特許文献１がある。特許文献１の卓上カレンダーは、矩形状のベースシート101を三角柱状に折り畳み、組み立てて使用する卓上カレンダーである。ベースシート101には、ベースシート101を三角柱状に折り畳んだ際に底部となるベースシート片102aがあり、そのベースシート片102aを中央から折るための折り畳み予定線109が設けられている。ベースシート片102aには、折り畳み予定線109を交差したスリットが設けられている。また、ベースシート101は一端縁部に粘着剤層106を有し、ベースシート101を三角柱状に折り畳む際に使用する３本の折り畳み予定線108a、108b、108cが設けられている。
図９に示すように、この卓上カレンダーは、ベースシート101を三角柱状に折り畳み、一端縁部の粘着剤層106を他端縁部に接着することで組み立てられる。この際、折り畳み予定線109も折り畳まれてしまうので、その折り癖を矯正するために、スリットで形成されたベースシート片102aの一部分を上方に立ち上げる。
しかるに、特許文献１の卓上カレンダーは、折り畳み予定線108a、108b、108c、109で折り畳み、粘着材層106で粘着しなければならないので、組み立てが面倒であるという問題がある。
また、ベースシート片102aの一部分を上方に立ち上げたとしても、時間の経過とともに元の水平状態に戻る習性があり、これが水平に戻った後折り畳み予定線109が折れ、卓上カレンダーが倒れてしまうという問題がある。
【０００４】
また、上記以外にも、差込穴に差込片を差し込むことで三角柱筐体を組み立てるものがあるが（例えば特許文献２）、やはり、筐体の折り曲げ、差込片の差し込みという操作をしなくてはいけないため、組み立てが面倒であるという問題がある。
【先行技術文献】
【特許文献】
【０００５】
【特許文献１】特開２００５‐１３１７９２号公報
【特許文献２】特開２００４‐５８４７８号公報
【考案の概要】
【考案が解決しようとする課題】
【０００６】
本考案は上記事情に鑑み、折り畳むことができ、かつ組み立てが容易な三角柱筐体を提供することを目的とする。
【課題を解決するための手段】
【０００７】
第１考案の三角柱筐体は、正面と背面と底面とからなる中空の三角柱の筐体であって、前記底面に、該底面が前記筐体の内側に向かって折れ曲がるように、三角柱の柱軸に平行な折線が設けられており、前記底面の内側に突っ張り片が設けられており、前記突っ張り片は、前記底面の折線より背面側の部分に接着されており、前記突っ張り片は、前記底面の折線より正面側の部分と同じ長さだけ、前記折線から突き出ていることを特徴とする。
第２考案の三角柱筐体は、第１考案において、前記底面と前記正面と前記背面と前記突っ張り片とが１枚のシートが折られることにより形成され、前記底面の内側に前記突っ張り片が接着されることにより形成されていることを特徴とする。
第３考案の三角柱筐体は、第１考案において、前記筐体の側面視において、前記正面の辺の長さをL1、前記背面の辺の長さをL2、前記底面の折線から正面までの長さをL31、前記底面の折線から背面までの長さをL32としたときに、各辺の長さが  L1 − L31 ＝ L2 - L32  および  L32 ＋ L31 ≦ L2  を満たすことを特徴とする。
第４考案の三角柱筐体は、第１考案において、前記筐体の両側面もしくは片側面に蓋面が設けられていることを特徴とする。
第５考案の広告媒体は、第１考案の三角柱筐体の前記正面、背面、底面の全て、もしくは一部に広告が記載されていることを特徴とする。
第６考案の卓上カレンダーは、第１考案の三角柱筐体の前記正面にカレンダーが設けられていることを特徴とする。
【考案の効果】
【０００８】
第１考案によれば、底面に設けられた折線に沿って、底面を筐体の内側に向かって折ることができ、筐体を容易に折り畳むことができるので、保管時や輸送時に嵩張ることが無く、保管費や輸送費を抑えることができる。また、使用時には折り畳まれた底面を平らに戻すだけでよく、容易に三角柱に組み立てることができる。さらに、突っ張り片の先端が前面により下方に押さえられ、底面を平面状に保つため、三角柱の形状を保つことができる。
第２考案によれば、１枚のシートを折り、接着することで形成されているので、製造が単純であり多量に安価に製造できる。
第３考案によれば、筐体を平面状に折り畳むことができるので、保管時や輸送時に嵩張ることが無く、保管費や輸送費を抑えることができる。
第４考案によれば、蓋面が底面、正面、背面を支えることにより、三角柱の形状を補助的に保つことができる。また、蓋面を開け閉めすることができるので、三角柱筐体の中に物を入れることができる。
第５考案によれば、筐体の表面に広告が記載されているので、折り畳むことができ、かつ組み立てが容易な広告媒体とすることができる。
第６考案によれば、カレンダーが設けられているので、折り畳むことができ、かつ組み立てが容易な卓上カレンダーとすることができる。
【図面の簡単な説明】
【０００９】
【図１】本考案の第１実施形態に係る三角柱筐体の折り畳み中もしくは組み立て中の一部破断斜視図である。
【図２】同三角柱筐体の折り畳み時の側面図である。
【図３】同三角柱筐体の組み立て時の側面図である。
【図４】本考案の第２実施形態に係る三角柱筐体の斜視図である。
【図５】本考案の第３実施形態に係る三角柱筐体（広告媒体）の斜視図である。
【図６】本考案の第４実施形態に係る三角柱筐体（卓上カレンダー）の斜視図である。
【図７】本考案の第５実施形態に係る三角柱筐体（置物）の（Ａ）正面図、（Ｂ）側面図である。
【図８】本考案の第６実施形態に係る三角筐体の斜視図である。
【図９】従来例の卓上カレンダーの側面図である。
【考案を実施するための形態】
【００１０】
つぎに、本考案の実施形態を図面に基づき説明する。
（第１実施形態）
図１に示すように、本考案の三角柱筐体１は、それぞれ長方形の正面１０と背面２０と底面３０とからなる中空の三角柱の筐体である。底面３０には、底面３０が山折りになり三角柱筐体１の内側に向かって折れ曲がるように、三角柱の柱軸に平行な折線３１が設けられている。また、底面３０の内側には突っ張り片４０が設けられており、その突っ張り片４０は底面３０の折線３１より背面２０側の部分に接着され、折線３１から正面１０側には突き出している。図３に示すように、三角柱筐体１を組み立てた際には、突っ張り片４０の先端は正面１０と底面３０との交線に接するようになる。すなわち、突っ張り片４０の折線３１から突き出している部分の長さは、底面３０における折線３１から正面１０までの長さと等しいか、若干短い。
【００１１】
このような形状であるので、三角柱筐体１を組み立てると、突っ張り片４０の先端が正面１０により下方に押さえられ、突っ張り片４０が水平になることにより、底面３０が平面状に保たれる。これにより、三角柱筐体１が三角柱の形状を保つことができる。
【００１２】
本実施形態の三角柱筐体１を製造するには、１枚の矩形のシートを折り曲げ、接着するだけで足りる。すなわち、１枚の矩形のシートをその端から、底面３０、正面１０、背面２０、突っ張り片４０となるように折り、突っ張り片４０が底面３０の内側に重なるように三角柱を形成し、底面３０の折線３１より背面２０側の部分と突っ張り片４０とを接着するのである。
このように、三角柱筐体１の製造方法は単純であるので、多量に安価に製造できる。
【００１３】
なお、本実施形態では、底面３０の先端が背面２０と突っ張り片４０との交線に接するようにしたが、その必要はなく、底面３０の先端から折線３１までの長さは、底面３０と突っ張り片４０とを接着するのに十分な面積を確保できる長さであればそれでよい。
【００１４】
図２に示すように、底面３０を折線３１に沿って三角柱筐体１の内側に向かって折り曲げることによって、三角柱筐体１を平面状に折り畳むことができる。しかし、いずれの面もだぶつくことなく平面状に折り畳めるようにするには、各辺の長さが以下の条件を満たす必要がある。
すなわち、三角柱筐体１の側面視において、正面１０の辺の長さをL1、背面２０の辺の長さをL2、底面３０の折線３１から正面１０までの長さをL31、底面３０の折線３１から背面２０までの長さをL32としたときに、各辺の長さが下記式１を満たす必要がある。
L1 − L31 ＝ L2 - L32  ・・・式１
また、突っ張り片４０は三角柱筐体１に包含される必要があるため、次の式２も満たす必要がある。
L32 ＋ L31 ≦ L2  ・・・式２
各辺の長さが以上の式１、式２を満たせば、三角柱筐体１の側面視の形状は正三角形でも二等辺三角形でもよいし、各辺の長さが異なる三角形となるようにしてもよい。
なお、上記L1，L2，L31，L32は、いずれも三角形の内寸法である。
【００１５】
つぎに、三角柱筐体１の折り畳み方法および組み立て方法を説明する。
組み立てられた三角柱筐体１を折り畳むには、まず、底面３０に対して上方に力を加える。そうすると、図１に示すように、底面３０が折線３１から山折りになるとともに、正面１０が筐体の外側に膨れ、突っ張り片４０が上方に持ち上がる。つぎに、正面１０および背面２０を前後から力を加えれば、図２に示すように折り畳むことができる。
折り畳まれた三角柱筐体１を組み立てるには、まず、山折りになった底面３０を前後に開く。そうすると、図１に示すように、正面１０が筐体の外側に膨れるとともに、突っ張り片４０が下方に下がってくる。つぎに、底面３０が平らになるように筐体の内側から下方に力を加えれば、図３に示すように組み立てることができる。
【００１６】
このように、本考案の三角柱筐体１は容易に折り畳み、平面状にすることができるので、保管時や輸送時に嵩張ることが無く、保管費や輸送費を抑えることができる。
また、組み立て時には接着したり、差込穴に差込片を差し込んだりする必要が無いので組み立てが容易である。
【００１７】
なお、説明の便宜上、正面１０、背面２０、底面３０を図１〜図３に示すように定義したが、いずれの面を正面としてもよい。また、三角柱筐体１を立てて用いても良い。実用新案登録請求の範囲に記載の「正面」、「背面」、「底面」も便宜上の名称であり、いずれの面を正面とするように読み替えてもよい。
【００１８】
（第２実施形態）
つぎに、本考案の第２実施形態に係る三角柱筐体２について説明する。
図４は本考案の第２実施形態に係る三角柱筐体２の斜視図である。
三角柱筐体２は、第１実施形態の三角柱筐体１において、その側面に蓋面５０が設けられた形状をしている。
蓋面５０は三角柱筐体２の側面の形状に合わせた三角形をしており、その底辺は正面１０、背面２０もしくは突っ張り片４０のいずれかに接合されている。また蓋面５０の頂点には開閉用のつまみ片５１が設けられている。
なお、つまみ片５１の無い形態としてもよいし、蓋面５０を三角柱筐体２の両側面に設ける形態としても、片方の側面にのみ設ける形態としてもよい。
【００１９】
三角柱筐体２を組み立てた後、蓋面５０を側面の内側に嵌め込むことにより、蓋面５０が正面１０、背面２０、底面３０を内側から押さえるので、三角柱筐体２の形状を補助的に保つことができる。
また、蓋面５０を開け閉めすることができるので、三角柱筐体２の中に物を入れて使用することができる。例えば、飲食店において薬味入れ等として使用することができる。
【００２０】
（第３実施形態）
つぎに、本考案の第３実施形態に係る三角柱筐体３について説明する。
図５の三角柱筐体３は広告媒体として用いられている。
この三角柱筐体３は、第１実施形態の三角柱筐体１において、その正面１０、背面２０、底面３０の全て、もしくは一部に広告６０が記載されている。
【００２１】
筐体の表面に広告６０が記載されているので、折り畳むことができ、かつ組み立てが容易な広告媒体とすることができる。主に、卓上において使用される広告媒体とすることができる。
【００２２】
（第４実施形態）
つぎに、本考案の第４実施形態に係る三角柱筐体４について説明する。
図６の三角柱筐体４は卓上カレンダーとして用いられる。
この三角柱筐体４は、第１実施形態の三角柱筐体１において、その正面１０にカレンダー７０が設けられたものである。図６に示すように、複数のリング７１を、カレンダー７０、正面１０および背面２０のあらかじめ設けられた孔に通すことにより、カレンダー７０を設けることができる。もちろん、カレンダー７０を直接正面１０に接着してもよい。
【００２３】
筐体の表面にカレンダー７０が設けられているので、折り畳むことができ、かつ組み立てが容易な卓上カレンダーとすることができる。
【００２４】
（第５実施形態）
つぎに、本考案の第５実施形態に係る三角柱筐体５について説明する。
図７の三角柱筐体５は置物として用いられる。
この三角柱筐体５は、第１実施形態の三角筐体１において、その正面１０および背面２０の下方に足５５を形成し、上方に頭５６および背５７を形成することで、動物の人形を形作っている。胴体部分が三角筐体となっているので、折り畳むことができ、かつ組み立てが容易な置物とすることができる。もちろん、動物以外にも種々の形状を形作っても良い。
【００２５】
（第６実施形態）
つぎに、本考案の第６実施形態に係る三角柱筐体６について説明する。
図８（Ａ）に示すように、三角柱筐体６は、第１実施形態の三角柱筐体１において、その底面３０に両面テープ８０が貼り付けられている。そのため、不安定な場所や風が吹く屋外などでも三角柱筐体６を貼り付けて設置することができる。
三角柱筐体６を折り畳んだ状態では、底面３０の折線３１より正面１０側に貼り付けた両面テープ８０と、折線３１より背面２０側に貼り付けた両面テープ８０とが互いに接することになるので、使用するまでは、両面テープ８０の表面を剥離紙で保護しておく必要がある。
なお、本実施形態では両面テープを底面３０に貼り付けたが、正面１０もしくは背面２０に貼り付ける形態としてもよい。
【００２６】
本実施形態では、図８（Ｂ）に示すように、三角柱筐体６の上部に窪み５８を設け、風に飛ばされることが無いスプーン・フォーク置、箸置として利用することができる。
【符号の説明】
【００２７】
１    三角柱筐体
２    三角柱筐体
３    三角柱筐体（広告媒体）
４    三角柱筐体（卓上カレンダー）
５    三角柱筐体（置物）
６    三角柱筐体
１０  正面
２０  背面
３０  底面
３１  折線
４０  突っ張り片
５０  蓋面
５１  つまみ片
６０  広告
７０  カレンダー
７１  リング
８０  両面テープ
【図１】
0003149431.tif 000003
【図２】
0003149431.tif 000004
【図３】
0003149431.tif 000005
【図４】
0003149431.tif 000006
【図５】
0003149431.tif 000007
【図６】
0003149431.tif 000008
【図７】
0003149431.tif 000009
【図８】
0003149431.tif 000010
【図９】
0003149431.tif 000011